(57)【要約】【課題】開口部を閉鎖した状態の障子の戸先側および吊元側の両側の移動を規制しつつ、簡便な構造として製造や管理を容易に行うことができる辷り出し窓を提供する。【解決手段】開口部に沿って設けられた枠体２と、枠体２の内部に設けられ吊元側に位置する回動軸回りに回動し戸先側が屋外側に移動して開口部を開閉する障子３と、開口部を閉鎖した障子３における戸先側の枠体２に対する屋外側への移動を規制可能な戸先側移動規制機構４と、開口部を閉鎖した障子３における吊元側の枠体２に対する屋外側への移動を規制可能な吊元側移動規制機構５と、を有し、戸先側移動規制機構４および吊元側移動規制機構５には、同一の部材が用いられている。【選択図】図２
2019178515.tif 000002
【特許請求の範囲】
【請求項１】
開口部に沿って設けられた枠体と、
前記枠体の内部に設けられ吊元側に位置する回動軸回りに回動し戸先側が屋外側に移動して前記開口部を開閉する障子と、
前記開口部を閉鎖した前記障子における戸先側の前記枠体に対する屋外側への移動を規制可能な戸先側移動規制機構と、
前記開口部を閉鎖した前記障子における前記吊元側の前記枠体に対する屋外側への移動を規制可能な吊元側移動規制機構と、を有し、
前記戸先側移動規制機構および前記吊元側移動規制機構には、同一の部材が用いられていることを特徴とする辷り出し窓。
【請求項２】
前記障子を前記枠体に固定する施錠機構を有し、
前記施錠機構は、前記障子が前記枠体に固定された施錠状態と、前記障子が前記枠体に対して移動可能となる解錠状態とを切り替える操作部を有し、
戸先側移動規制機構は、前記操作部と連動し、前記操作部の操作によって前記施錠状態となると前記障子における前記戸先側の前記枠体に対する屋外側への移動が規制され、前記操作部の操作によって前記解錠状態となると、前記障子における前記戸先側が前記枠体に対して屋外側へ移動可能となるように構成され、
前記吊元側移動規制機構は、前記操作部と連動せずに配設されている請求項１に記載の辷り出し窓。
【請求項３】
前記戸先側移動規制機構は、前記障子の戸先側の戸先框から前記枠体側に突出する第１ピンと、前記枠体に設けられ前記開口部を閉鎖した前記障子における前記第１ピンの屋外側に位置する第１係合部材と、を有し、
前記吊元側移動規制機構は、前記障子の吊元側の吊元框から前記枠体側に突出する第２ピンと、前記枠体に設けられ前記開口部を閉鎖した前記障子における前記第２ピンの屋外側に位置する第２係合部材と、を有し、
前記第１ピンおよび前記第２ピンには同一の部材が用いられ、前記第１係合部材および前記第２係合部材には同一の部材が用いられている請求項１又は２に記載の辷り出し窓。
【発明の詳細な説明】
【技術分野】
【０００１】
本発明は、辷り出し窓に関する。
【背景技術】
【０００２】
辷り出し窓は、障子が吊元を軸として回動しながら移動することで開口部を開閉するように構成されている。辷り出し窓には、施錠機構とは別に、開口部を閉鎖した状態の障子が移動しないように障子の移動を規制する機構が設けられていることがある。
特許文献１に開示された辷り出し窓では、障子の戸先側に設けられたストッパピンが枠体に設けられた規制部材と係合することで、開口部を閉鎖した状態の障子が移動しないように構成されている。
【先行技術文献】
【特許文献】
【０００３】
【特許文献１】特開２０１７−２１０７２３号公報
【発明の概要】
【発明が解決しようとする課題】
【０００４】
ところで、辷り出し窓には、障子の吊元側に上記のような障子の移動を規制する機構が設けられていないのが現状である。辷り出し窓の開口部を閉鎖した状態の障子が負圧に耐えるためには、障子の戸先側のみでなく吊元側の移動も規制されることが好ましい。
しかしながら、辷り出し窓の障子の吊元側にも障子の移動を規制する機構を設けようとすると、吊元側専用の部材を取り付ける必要があるため、辷り出し窓が複雑な構造になって製造や管理が煩雑になるという問題がある。
【０００５】
そこで、本発明は、開口部を閉鎖した状態の障子の戸先側および吊元側の両側の移動を規制しつつ、簡便な構造として製造や管理を容易に行うことができる辷り出し窓を提供することを目的とする。
【課題を解決するための手段】
【０００６】
上記目的を達成するため、本発明に係る辷り出し窓は、開口部に沿って設けられた枠体と、前記枠体の内部に設けられ吊元側に位置する回動軸回りに回動し戸先側が屋外側に移動して前記開口部を開閉する障子と、前記開口部を閉鎖した前記障子における戸先側の前記枠体に対する屋外側への移動を規制可能な戸先側移動規制機構と、前記開口部を閉鎖した前記障子における前記吊元側の前記枠体に対する屋外側への移動を規制可能な吊元側移動規制機構と、を有し、前記戸先側移動規制機構および前記吊元側移動規制機構には、同一の部材が用いられていることを特徴とする。
【０００７】
本発明では、戸先側移動規制機構と吊元側移動規制機構とを有することにより、開口部を閉鎖した状態の障子の戸先側および吊元側の両側の移動を規制することができる。
また、戸先側移動規制機構および吊元側移動規制機構には同一の部材が用いられていることにより、戸先側移動規制機構と吊元側移動規制機構とが異なる部材で構成されている場合と比べて、辷り出し窓を簡便な構造とすることができる。その結果、辷り出し窓の製造や管理を容易に行うことができる。
【０００８】
また、本発明に係る辷り出し窓では、前記障子を前記枠体に固定する施錠機構を有し、  前記施錠機構は、前記障子が前記枠体に固定された施錠状態と、前記障子が前記枠体に対して移動可能となる解錠状態とを切り替える操作部を有し、戸先側移動規制機構は、前記操作部と連動し、前記操作部の操作によって前記施錠状態となると前記障子における前記戸先側の前記枠体に対する屋外側への移動が規制され、前記操作部の操作によって前記解錠状態となると、前記障子における前記戸先側が前記枠体に対して屋外側へ移動可能となるように構成され、前記吊元側移動規制機構は、前記操作部と連動せずに配設されていてもよい。
このような構成とすることにより、戸先側移動規制機構によって障子の戸先側の移動が規制された状態と、移動が許容された状態とを容易に切り替えることができる。
【０００９】
また、本発明に係る辷り出し窓では、前記戸先側移動規制機構は、前記障子の戸先側の戸先框から前記枠体側に突出する第１ピンと、前記枠体に設けられ前記開口部を閉鎖した前記障子における前記第１ピンの屋外側に位置する第１係合部材と、を有し、前記吊元側移動規制機構は、前記障子の吊元側の吊元框から前記枠体側に突出する第２ピンと、前記枠体に設けられ前記開口部を閉鎖した前記障子における前記第２ピンの屋外側に位置する第２係合部材と、を有し、前記第１ピンおよび前記第２ピンには同一の部材が用いられ、前記第１係合部材および前記第２係合部材には同一の部材が用いられていてもよい。
このような構成とすることにより、閉鎖状態の障子に屋外側に向かう力が作用した場合でも、障子の戸先側では第１ピンが第１係合部材と当接し、吊元側では第２ピンが第２係合部材と当接することで障子が屋外側に移動することを防止することができる。
また、第１ピンおよび第２ピンには同一の部材が用いられ、第１係合部材および第２係合部材には同一の部材が用いられていることにより、辷り出し窓を簡便な構造とすることができる。その結果、辷り出し窓の製造や管理を容易に行うことができる。
【発明の効果】
【００１０】
本発明によれば、障子を閉鎖状態に維持する拘束機構を障子の戸先側および吊元側の両側に設けつつ、辷り出し窓を簡便な構造として製造や管理を容易に行うことができる。
【図面の簡単な説明】
【００１１】
【図１】本発明の実施形態による辷り出し窓が設けられた建具の一例を示す正面図で施錠機構が施錠状態である様子を示す図ある。
【図２】図１のＡ−Ａ線断面図である。
【図３】本発明の実施形態による辷り出し窓が設けられた建具の一例を示す正面図で施錠機構が解錠状態である様子を示す図ある。
【図４】縦枠に取り付けられた第１係合部材を示す斜視図である。
【図５】第１ピンと第１係合部材の位置関係を説明する図である。
【図６】縦枠に取り付けられた第２係合部材を示す斜視図である。
【図７】第２ピンと第２係合部材の位置関係を説明する図である。
【発明を実施するための形態】
【００１２】
以下、本発明の実施形態による辷り出し窓について、図１乃至図７に基づいて説明する。
図１に示すように、本実施形態による辷り出し窓１は、上下にＦＩＸ窓１１，１２が設けられた段窓構造の建具１３に設けられている。
建具１３は、屋外と屋内とを仕切る壁部１４に形成された開口部１５に設けられた枠体２と、枠体２の内部に設けられた辷り出し窓１の障子３と、辷り出し窓１の障子３の上側に設けられた上側のＦＩＸ窓１１の障子１１１と、辷り出し窓１の障子３の下側に設けられた下側のＦＩＸ窓１２の障子１２１と、を有している。本実施形態による辷り出し窓１は、縦辷り出し窓となっている。
以下では、屋外と屋内とを結ぶ水平方向を屋内外方向とし、屋内外方向に直交する水平方向（壁部１４に沿った水平方向）を左右方向とする。
【００１３】
枠体２は、上側に配置され左右方向に延びる上枠２１と、下側に配置され左右方向に延びる下枠２２と、上下方向に延びて上枠２１および下枠２２の左右両側に設けられる２つの縦枠２３，２４と、上枠２１、下枠２２および２つの縦枠２３，２４の内部に設けられた２つの無目枠２５，２６と、を有している。
上枠２１、下枠２２および２つの縦枠２３，２４は四方枠に形成されている。
２つの無目枠２５，２６は、それぞれ左右方向に延びて上下方向に間隔をあけて配置され、それぞれの左右方向の両端部が２つの縦枠２３，２４に接合されている。
２つの無目枠２５，２６の間に辷り出し窓１の障子３が設けられ、上枠２１と上側の無目枠２５との間、および下枠２２と下側の無目枠２６との間にＦＩＸ窓１１，１２が設けられている。
２つの無目枠２５，２６には、辷り出し窓１の障子３を左右方向に移動可能かつ上下方向に延びる回動軸まわりに回動可能に支持するリンク機構２７が設けられている。リンク機構２７は、辷り出し窓１を開閉させる公知の構造となっている。
【００１４】
図１および図２に示すように、辷り出し窓１の障子３は、四方枠状に形成された框３１と、框３１の内側にはめ込まれたガラス３２と、を有している。框３１は、上側に配置され左右方向に延びる上框３３（図１参照）と、下側に配置され左右方向に延びる下框３４（図１参照）と、上下方向に延びて上框３３および下框３４の左右一方側に設けられる戸先框３５と、他方側に設けられる吊元框３６と、を有している。
【００１５】
吊元框３６は、上端部および下端部がリンク機構２７に連結されている。辷り出し窓１の障子３は、リンク機構２７にガイドされて移動することで開口部１５を開閉するように構成されている。辷り出し窓１の回動軸部は、吊元框３６に設けられ、リンク機構２７によって支持されている。
【００１６】
戸先框３５は、屋内側にレバーハンドル（操作部）３７が設けられている。レバーハンドル３７は、辷り出し窓１にに設けられた施錠機構（不図示）の施錠状態と解錠状態とを切り替えるように構成されている。
施錠機構は、障子３側に設けられた障子側施錠部材と、枠体２側に設けられた枠体側施錠部材とが係合することで施錠状態となり、係合が解除されることで解錠状態となるように構成されている。
【００１７】
レバーハンドル３７は、障子側施錠部材と接続されている施錠部材接続部３７１と、施錠部材接続部３７１と一体に形成され使用者が把持可能な把持部３７２と、を有している。把持部３７２は、棒状の部材で、使用者が把持して回動させると、施錠部材接続部３７１が上下に移動するように構成されている。本実施形態では、レバーハンドル３７が操作され、施錠部材接続部３７１とともに障子側施錠部材が上側に移動すると、障子側施錠部材が枠体側施錠部材と係合して施錠状態となり、施錠部材接続部３７１とともに障子側施錠部材が下側に移動すると、障子側施錠部材と枠体側施錠部材との係合が解除され解錠状態となるように構成されている。
【００１８】
辷り出し窓１は、開口部１５（図１参照）を閉鎖した状態における障子３の戸先側と枠体２との相対移動を規制する戸先側移動規制機構４と、開口部１５を閉鎖した状態における障子３の吊元側と枠体２との相対移動を規制する吊元側移動規制機構５と、を有している。
【００１９】
戸先側移動規制機構４は、戸先框３５から縦枠２３側に突出する第１ピン４１と、縦枠２３に取り付けられて第１ピン４１の屋外側に位置する第１係合部材４２と、レバーハンドル３７の操作に連動して第１ピン４１を上下方向に移動させる第１ピン連動機構４３と、を有している。図１および図３では、第１ピン４１が設けられている高さを黒塗りの三角形で示し、第１係合部材４２が設けられている高さを黒塗りの円形で示している。
本実施形態では、３つの戸先側移動規制機構４が上下方向に間隔をあけて設けられている。このため、第１ピン４１が、戸先框３５に対して上下方向に間隔をあけて３か所に設けられ、第１係合部材４２が、縦枠２３に対して上下方向に間隔をあけて３か所に設けられている。
３つの第１ピン４１は、取り付けられる位置以外は同一の形態となっている。３つの第１係合部材４２は取り付けられる位置以外は同一の形態となっている。
【００２０】
第１ピン４１は、例えば金属などで形成された円柱状の部材で、軸線が左右方向となる向きで戸先框３５に設けられている。第１ピン４１は、軸線方向の一方の端部側が戸先框３５の内部に挿入され、他方の端部側が戸先框３５から縦枠２３側に突出している。戸先框３５には、第１ピン４１が挿入される上下方向に延びる長孔が形成されている。第１ピン４１は、戸先框３５の内部において第１ピン連動機構４３に接続されている。
【００２１】
第１ピン連動機構４３は、戸先框３５の内部に設けられ上下方向に延びる連動棒４４を有している。連動棒４４は、戸先框３５の内部で上下方向に移動可能となっている。連動棒４４は、レバーハンドル３７の施錠部材接続部３７１と接続されていて、施錠部材接続部３７１とともに上下に移動するように構成されている。
このため、連動棒４４は、図１に示すように施錠機構が施錠状態となるようにレバーハンドル３７が操作されると上側に移動し、図３に示すように、施錠機構が解錠状態となるようにレバーハンドル３７が操作される下側に移動するように構成されている。
また、３つの第１ピン４１も連動棒４４と同様に上下に移動する。つまり、３つの第１ピン４１は、施錠機構が施錠状態となるようにレバーハンドル３７が操作されると上側に移動し、施錠機構が解錠状態となるようにレバーハンドル３７が操作される下側に移動するように構成されている。
なお、第１ピン４１は、戸先框３５に形成された長孔の上下方向の長さ範囲で上下方向に移動する。
【００２２】
図２および図４に示すように、第１係合部材４２は、縦枠２３に取り付けられる取り付け板部６１と、取り付け板部６１から障子３側に突出する突出板部６２と、を有している。第１係合部材４２は、例えば、金属などで形成されている。
取り付け板部６１は、平板状に形成され、板面が左右方向を向き一方の面が縦枠２３に当接した状態でネジなどの固定具６３で固定されている。
【００２３】
突出板部６２は、平板状に形成された第１板部６４と、平板状に形成され第１板部６４に対して傾斜して接続された第２板部６５と、平板状に形成され第１板部６４に対して傾斜して接続された第３板部６６と、を有している。
第１板部６４は、板面が屋内外方向を向くように配置されている。
第２板部６５は、第１板部６４の上側に設けられ、下側（第１板部６４側）から上側（第１板部６４と離間する側）に向かって漸次屋外側に向かうように傾斜している。
第３板部６６は、第１板部６４の下側に設けられ、上側（第１板部６４側）から下側（第１板部６４と離間する側）に向かって漸次屋外側に向かうように傾斜している。
突出板部６２は第１板部６４の左右方向の一方側が取り付け板部６１と接続されている。
【００２４】
第１係合部材４２は、施錠機構が施錠状態となり上側に移動した第１ピン４１と同じ高さ、かつ施錠機構が解錠状態となり下側に移動した第１ピン４１の上側となる位置に設けられている。第１係合部材４２の突出板部６２は、施錠機構が施錠状態となり上側に移動した第１ピン４１の室外側に配置されている。
これにより、図５に示すように、施錠機構が施錠状態となると、第１ピン４１（図５において実線で示している）の屋外側に突出板部６２が配置されているため、戸先框３５が枠体２に対して屋外側に移動しようとすると第１ピン４１が突出板部６２と当接し、屋外側への移動が規制される。施錠機構が解錠状態となると、第１ピン４１（図５において２点鎖線で示している）は突出板部６２の下側となるため、第１ピン４１が室外側に移動しても突出板部６２にあたることがないため、戸先框３５は枠体２に対して屋外側に移動可能となる。
【００２５】
図１および図２に示すように、吊元側移動規制機構５は、吊元框３６から縦枠２４側に突出する第２ピン５１と、枠体２に取り付けられて第２ピン５１の屋外側に位置する第２係合部材５２とを有している。図１および図３では、第２ピン５１が設けられている高さを黒塗りの三角形で示し、第２係合部材５２が設けられている高さを黒塗りの円形で示している。
本実施形態では、３つの吊元側移動規制機構５が上下方向に間隔をあけて設けられている。このため、第２ピン５１が、吊元框３６に対して上下方向に間隔をあけて３か所に設けられ、第２係合部材５２が、縦枠２４に対して上下方向に間隔をあけて３か所に設けられている。
３つの第２ピン５１は、取り付けられる位置以外は同一の形態となっている。３つの第２係合部材５２は取り付けられる位置以外は同一の形態となっている。
【００２６】
第２ピン５１は、第１ピン４１と同一の部材で、第１ピン４１と左右対称となる向きで吊元框３６に設けられている。吊元框３６には、第１ピン４１が挿入される丸孔が形成されている。
図１および図３に示すように、第２ピン５１は、第１ピン４１と異なり、レバーハンドル３７が操作されても上下方向に移動しないように構成されている。
【００２７】
図６に示すように、第２係合部材５２は、第１係合部材４２と同一の部材で、第１係合部材４２と左右方向に対称となる向きで縦枠２４に取り付けられている。
図７に示すように、第２係合部材５２は、第２ピン５１と同じ高さに設けられている。第２係合部材５２の突出板部６２は、第２ピン５１の室外側に配置されている。
これにより、障子３が開口部１５を閉鎖した状態となると、第２ピン５１の屋外側に突出板部６２が配置されているため、吊元框３６が枠体２に対して屋外側に移動しようとすると第２ピン５１が突出板部６２と当接し、屋外側への移動が規制される。
本実施形態では、障子３の開閉による第２ピン５１の軌跡上に第２係合部材５２の突出板部６２が配置されないように、開口部１５を閉鎖した状態における第２ピン５１と第２係合部材５２の突出板部６２との間には間隔が設けられている。
【００２８】
次に、上述した辷り出し窓の作用・効果について図面を用いて説明する。
上述した本実施形態による辷り出し窓１では、戸先側移動規制機構４と吊元側移動規制機構５とを有することにより、開口部１５を閉鎖した状態の障子３の戸先側および吊元側の両側の移動を規制することができる。閉鎖状態の障子３に屋外側に向かう力が作用した場合でも、障子３の戸先側では第１ピン４１が第１係合部材４２と当接し、吊元側では第２ピン５１が第２係合部材５２と当接することで障子３が屋外側に移動することを防止することができる。
また、第１ピン４１および第２ピン５１には同一の部材が用いられ、第１係合部材４２および第２係合部材５２には同一の部材が用いられていることにより、辷り出し窓１を簡便な構造とすることができる。その結果、辷り出し窓１の製造や管理を容易に行うことができる。
【００２９】
また、第１ピン４１はレバーハンドル３７と連動していて、レバーハンドル３７の操作によって施錠状態となると戸先框３５の屋外側への移動が規制され、解錠状態となると、戸先框３５が枠体２に対して屋外側へ移動可能となるように構成されていることにより、戸先框３５の移動が規制された状態と、移動が許容された状態とを容易に切り替えることができる。
【００３０】
以上、本発明による辷り出し窓１の実施形態について説明したが、本発明は上記の実施形態に限定されるものではなく、その趣旨を逸脱しない範囲で適宜変更可能である。
例えば、上記の実施形態では、辷り出し窓１は、縦辷り出し窓であるが、横辷り出し窓であってもよい。
また、上記の実施形態では、第１ピン４１は、レバーハンドル３７と連動しているが、レバーハンドル３７と連動していなくてもよい。
また、上記の実施形態では、第１ピン４１、第１係合部材４２、第２ピン５１および第２係合部材５２は３つずつ設けられているが、これらが設けられる数は適宜設定されてよい。
【符号の説明】
【００３１】
１  辷り出し窓
２  枠体
３  障子
４  戸先側移動規制機構
５  吊元側移動規制機構
１５  開口部
３５  戸先框
３６  吊元框
３７  レバーハンドル（操作部）
４１  第１ピン
４２  第１係合部材
５１  第２ピン
５２  第２係合部材
【図１】
2019178515.tif 000003
【図２】
2019178515.tif 000004
【図３】
2019178515.tif 000005
【図４】
2019178515.tif 000006
【図５】
2019178515.tif 000007
【図６】
2019178515.tif 000008
【図７】
2019178515.tif 000009